(57)【特許請求の範囲】
【請求項１】
扉の一端部に、使用者が操作する回動レバーと、
前記回動レバーと連動する回動片と、
前記回動片と連動する係止片と、
前記回動片に設けられた付勢手段と、を具備する扉開閉手段を有し、
前記扉を収容する枠部に設けられた隆起部に、前記係止片と係合可能である係止片受け部を有し、
前記係止片と前記係止片受け部との係合により、前記扉が開放不能になり、
前記扉の可動方向に前記回動レバーを押すことで、前記係止片と前記係止片受け部との係合が解除されることにより、前記扉が可動になることを特徴とする台所用キャビネット。
【請求項２】
前記回動レバーの支点軸が前記扉の裏面側に設けられていることを特徴とする請求項１に記載の台所用キャビネット。
【請求項３】
前記係止片の一端部に係止片傾斜面、又は、曲面が設けられ、前記隆起部の一端部に隆起部傾斜面、又は、曲面が設けられていることを特徴とする請求項１又は請求項２に記載の台所用キャビネット。
【請求項４】
前記扉が、引き戸であることを特徴する請求項１から請求項３のいずれかに記載の台所用キャビネット。
【請求項５】
前記係止片受け部が、孔、又は、窪みであることを特徴とする請求項１から請求項４のいずれかに記載の台所用キャビネット。
【請求項６】
前記扉開閉手段が、前記扉とは別体として設けられていることを特徴とする請求項１から請求項５のいずれかに記載の台所用キャビネット。
【請求項７】
前記扉の全部、又は、一部が、透明、又は、透光性を有する部材であることを特徴とする請求項１から請求項６のいずれかに記載の台所用キャビネット。
【発明の詳細な説明】
【技術分野】
【０００１】
本発明は、皿、茶碗などの食器類、食料品などを収納するために使用され、耐震性を有する台所用キャビネットに関する。
【背景技術】
【０００２】
台所に設置されるキャビネットのうち、皿、茶碗、コップなどの食器類、必ずしも冷蔵保存する必要のない食料品など比較的大きなものを収納するために、引き戸、開き戸などを有するキャビネットが使用されている。
【０００３】
このようなキャビネットは、地震など揺れを伴う災害が発生すると、キャビネットの内部に収納している物が外へ飛び出し、家事をしている者など近くにいる人物に直撃する、又は、外へ飛び出した食器類などが破損するなどして危険であった。
【０００４】
一方、このようなキャビネットに錠などにより施錠すれば、揺れを伴う災害が発生しても、内容物が外部へ飛び出すことがなく安全であるが、このようなキャビネットは日常において使用頻度が高いため、例え安全のためとはいえ使用の度に施錠解錠を行うことは不便であった。
【０００５】
このため、揺れを感知したときにのみ作動して施錠される扉を有する収納体などが開発されている。例えば、特許文献１には、球状の振動体が地震の揺れにより作動し、その振動体の作動によって係止手段の係止部が対向する係止具の開口に嵌入し、その係止具が接続されている扉が大きく開くことを防ぐ棚に関する発明が開示されている。
【先行技術文献】
【特許文献】
【０００６】
【特許文献１】特開平１１−２２９６９８号
【発明の概要】
【発明が解決しようとする課題】
【０００７】
しかしながら、特許文献１に記載の棚は、揺れを球状の振動体で検知して施錠する機構を有するので、収納している内容物が落下しない程度の揺れでも作動することがある一方、あまりに強い揺れにおいては、その振動体が作動すると同時に棚に収納している物も動き出すため、施錠する機構が働く前に収納している物が外へ飛び出すおそれがあり、確実な耐震性を有するキャビネットが求められていた。
【０００８】
また、特許文献１に記載の扉を施錠する機構を、棚内部に設ける必要があるので、棚内部の収納する空間が減少するため、棚内部の収納空間を占めることないキャビネットが求められていた。
【０００９】
また、特許文献１に記載の扉を施錠する機構では、扉を開けたときに、目に付き易いため、普段は存在を意識することなく使用することができ、地震などの揺れが伴う災害が発生したときには、確実に収納物を閉じ込めておけるキャビネットが求められていた。
【００１０】
そこで、本発明では、地震などの揺れが伴う災害が発生したときであっても確実に収納物を外へ飛び出させることがなく、内部の収納空間に扉開閉手段を有することなく、日常の使用時に特に扉開閉手段を意識せずに使用することができる台所用キャビネットを提供することを課題とする。
【課題を解決するための手段】
【００１１】
本発明は、上記課題を達成するために、下記の台所用キャビネットを提供する。具体的には、以下（１）〜（７）の手段を講じている。
（１）本発明のキャビネットは、扉の一端部に、使用者が操作する回動レバーと、前記回動レバーと連動する回動片と、前記回動片と連動する係止片と、前記回動片に設けられた付勢手段と、を具備する扉開閉手段を有し、前記扉を収容する枠部に設けられた隆起部に、前記係止片と係合可能である係止片受け部を有し、前記係止片と前記係止片受け部との係合により、前記扉が開放不能になり、前記扉の可動方向に前記回動レバーを押すことで、前記係止片と前記係止片受け部との係合が解除されることにより、前記扉が可動になることを特徴とする台所用キャビネットである。
（２）前記回動レバーの支点軸が前記扉の裏面側に設けられていることを特徴とする（１）に記載の台所用キャビネットである。
（３）前記係止片の一端部に係止片傾斜面、又は、曲面が設けられ、前記隆起部の一端部に隆起部傾斜面、又は、曲面が設けられていることを特徴とする（１）又は（２）に記載の台所用キャビネットである。
（４）前記扉が、引き戸であることを特徴する（１）〜（３）のいずれかに記載の台所用キャビネットである。
（５）前記係止片受け部が、孔、又は、窪みであることを特徴とする（１）〜（４）のいずれかに記載の台所用キャビネットである。
（６）前記扉開閉手段が、前記扉とは別体として設けられていることを特徴とする（１）〜（５）のいずれかに記載の台所用キャビネットである。
（７）  前記扉の全部、又は、一部が、透明、又は、透光性を有する部材であることを特徴とする（１）〜（６）のいずれかに記載の台所用キャビネットである。
【発明の効果】
【００１２】
以上、本発明に係るキャビネットであれば、地震などの揺れが伴う災害が発生したときであっても確実に収納物を外へ飛び出させることがなく、内部の収納空間に扉開閉手段を有することなく、日常の使用時に特に扉開閉手段を意識せずに使用することができる。
【図面の簡単な説明】
【００１３】
【図１】本発明の一実施例を示す斜視図。
【図２】本発明の一実施例における扉が一部開いた状態を示す斜視図。
【図３】（ａ）本発明の一実施例における扉開閉手段が係合した状態を示す正面図。（ｂ）Ａ−Ａ線断面図。
【図４】（ａ）本発明の一実施例における扉開閉手段の係合が解除された状態を示す正面図。（ｂ）Ｂ−Ｂ線断面図。
【図５】本発明の一実施例における扉開閉手段の係合が解除された状態を示す部分破断斜視図。
【図６】本発明の一実施例における扉開閉手段が係合された状態を示す部分破断斜視図。
【発明を実施するための形態】
【００１４】
以下、本発明に係る台所用キャビネットに関する実施形態について詳しく説明する。なお、以下に説明する実施形態は、本発明を実施するに好ましい具体例であるから、技術的に種々の限定がなされているが、本発明は、以下の説明において特に発明を限定する旨が明記されていない限り、これらの形態に限定されるものではない。
【００１５】
具体的には、図１に示すように、本発明の台所用キャビネット（１）は、箱型形状の筺体を有し、仕切り板などで仕切られた収納空間を閉じることが可能なように、台所用キャビネット（１）に設けられた枠部（４）に扉（２）を開閉自在に設けられている。この扉（２）を開閉するための手段として、扉（２）の左、又は、右の一端部に扉開閉手段（３）が設けられている。
【００１６】
図２に示すように、台所用キャビネット（１）は、上段に２枚の扉（２）を有しており、その右側の扉（２）の右側面部である一端部に取り付けられた扉開閉手段（３）を操作すると、右側の扉（２）が、枠部（４）に沿って左側に移動する。このことにより、内部の収納空間に食器、食料品等を収納することができる。
【００１７】
本発明の台所用キャビネット（１）は、家の中の一部である食物の調理や配膳に使用される部屋である台所、炊事場や、料理店などの厨房で使用されるものであり、その高さ、横幅、奥行きは特に限定されるものではない。本実施例では、台所用キャビネット（１）を上段と下段に仕切り板で区分けし、上段の収納空間を、扉（２）を設けて閉じて塞ぐことができるようにし、下段の収納空間を開放しているが、本発明はこれに限定されることなく、例えば、上段と下段を区分けせずに、扉（２）を設けて収納空間全体を閉じて塞ぐことができるようにしてもよい。
【００１８】
また、台所用キャビネット（１）は、合板や金属板などの部材を組み合わせて作成することができ、別体である扉（２）、扉開閉手段（３）、枠部（４）と同一、又は、異なる材質の部材を使用することができる。家の台所、飲食店の厨房などそれぞれの使用される場所によって、求められる意匠性、耐久性などが相違するからである。
【００１９】
扉（２）は、板状で直方体形状を有し、使用者が視認する表面（２１）と、その反対側、すなわち、収納空間側にある裏面（２２）とを有する。また、表面（２１）と裏面（２２）の中央には、表面（２１）、裏面（２２）のそれぞれ７０％程度の面積を占め、長方形状で透光性を有する半透明部材が嵌めこまれており、収納空間に収納した食器等の陰影をおぼろげながら視認することができる。なお、半透明部材の材質としては、ガラスや樹脂などが使用され、具体的には表面を研磨したすりガラスや濁度を調整し透光性を有する樹脂などが使用される。そして、右側の扉（２）には、扉開閉手段（３）がその右側面部である一端部に設けられ、さらに詳細には扉開閉手段（３）が扉（２）の裏面（２２）に螺子により固定されている。一方、左側の扉（２）には、扉開閉手段（３）がその左側面部である一端部に設けられ、さらに詳細には扉開閉手段（３）が扉（２）の裏面（２２）に螺子により固定されている。
【００２０】
図３、図４は、図１等で示す右側の扉（２）の一端部に設けられた扉開閉手段（３）の内部構造を透視した状態で示している。具体的には、扉開閉手段（３）は、筺体である枠体（３０）に設けられた支点軸（３５）に緩嵌する回動レバー（３１）と、回動レバー（３１）に接触可能な当接片（３２１）を一端部に有する回動片（３２）と、回動片（３２）の他端部と回動自在に一端部に螺子を介して設けられた第一連結具（３６）と、第一連結具（３６）の他端部と回動自在に一端部に螺子を介して設けられた第二連結具（３７）と、第二連結具（３７）の他端部に回動不能に一端部に螺子により固設された第三連結具（３８）と、第三連結具（３８）の他端部に固設された係止片（３３）と、を有する。
【００２１】
回動レバー（３１）は、図５、図６に示すように水平断面がアラビア数字の６に似た形状であり、支点軸（３５）と緩嵌する支点軸孔（３１２）を有し、支点軸（３５）を軸中心として回動する。使用者が回動レバー（３１）に触れると、その触れる面と反対側である当接面（３１１）が、回動片（３２）の当接片（３２１）に接触する。なお、回動レバー（３１）は、付勢手段（３４）により、図３に示すように、左側から、すなわち、回動片（３２）の当接片（３２１）から押されるよう力が働くため、使用者が回動レバー（３１）を操作しないときには、枠体（３０）に突設された円柱状の支受軸（３５１）と当接し、支えられている。
【００２２】
回動片（３２）は、板状で略Ｌ字状の形状であり、一端部には板状の当接面（３１１）が立設され、中央部が回動の支点となる螺子により回動自在に固定され、他端部が第一連結具と回動可自在に螺子を介して連結され、中央部と他端部との間には付勢手段（３４）が設けられている。使用者が回動レバー（３１）を操作しないときには、付勢手段（３４）により、当接片（３２１）が回動レバー（３１）の当接面（３１１）を押す方向に力が働き、他端部が第一連結具（３６）を下方に押し下げる方向に力が働いている。
【００２３】
第一連結具（３６）は、板状で略タンベル状の形状であり、一端部が回動片（３２）の他端部と回動自在に螺子を介して連結され、他端部が第二連結部（３７）の一端部と回動自在に螺子を介して連結されている。第一連結具（３６）は、回動片（３２）の回動による動きを下方へ直線の動きとして伝えている。
【００２４】
第二連結具（３７）は、細長い板状であり、一端部が第一連結具（３６）の他端部と回動自在に螺子を介して連結され、他端部が回動不能に螺子を介して第三連結具（３８）と固設されている。
【００２５】
第三連結具（３８）は、角柱形状であり、一端部が第二連結具（３７）の一端部と回動可不能に螺子を介して固設され、他端部が回動不能に螺子を介して係止片（３３）と固設されている。
【００２６】
係止片（３３）は、一端部に立設する中央部と、中央部に立設する他端部を有して一端部と他端部とが平行となる階段状である板形状であり、一端部が第三連結具（３８）の他端部と回動不能に螺子を介して固設され、中央部である段差を介して、他端部には傾斜を備える係止片傾斜面（３３１）を有する。回動片（３２）の回動が、第一連結具（３６）、第二連結具（３７）、第三連結具（３８）を介して係止片（３３）と連動し、係止部（３３）は、係止受け部（４２）と係合し、又は、その係合が解除される。
【００２７】
付勢手段（３４）は、一端部が回動片（３２）の中央部と他端部との間に固定され、他端部が枠体（３０）に固設されている部材に固定されている。なお、図３、図４には、付勢手段（３４）として、コイルばねを示しているが、これに限定されるものでなく、ゴムなどを使用してもよい。
【００２８】
支点軸（３５）は、円柱状の形状であり、扉開閉手段（３）のうち扉（２）の裏面（２２）側に位置しており、枠体（３０）の上部より下方に向かって、及び、下部より上方に向かって突設され、回動レバー（３１）の支点軸孔（３１２）と緩嵌している。支点軸（３５）が、扉（２）の裏面（２２）側に位置していることにより、使用者が扉（２）を開ける際に指に回動レバー（３１）がより掛かり易くなり、違和感なく操作することができる。
【００２９】
また、支受軸（３５１）は、円柱状の形状であり、扉開閉手段（３）のうち扉（２）の裏面（２２）側に位置しており、枠体（３０）の上部より下方に向かって、及び、下部より上方に向かって突設され、回動レバー（３１）が付勢手段（３４）により回動片（３２）の当接片（３２１）から押されるよう力が働くため、回動レバー（３１）を支えることができる。
【００３０】
なお、図３、図４に示すように、扉開閉手段（３）は、扉（２）と別体として示されているが、扉（２）の左右の端部内に回動レバー（３１）、回動片（３２）、係止片（３３）が一体として設けられていてもよい。なお、扉開閉手段（３）を別体として設けることが、コスト低減や作業時間短縮に繋がるため好ましい。
【００３１】
枠部（４）は、図１、図２に示すように、扉（２）を左右に開閉可能にする部材として、扉（２）の上方および下方であって、台所用キャビネット（１）に固設されている。また、枠部（４）の左右端部には、略直方体形状であり、枠部（４）より扉（２）側に突設された隆起部（４１）が設けられている。そして、その隆起部（４１）の一端部には傾斜を備える隆起部傾斜面（４１１）が設けられている。そして、隆起部（４１）の隆起部傾斜面（４１１）側には、穿孔された係止片受け部（４２）が設けられている。扉（２）が開いている状態から閉める際に、係止片（３３）の係止片傾斜面（３３１）が隆起部傾斜面（４１１）と当接することにより、係止片（３３）が隆起部傾斜面（４１１）を滑り上がり、そして、係止片（３３）が付勢手段（３４）による押し下げる力により係止受け部（４２）に挿入される。なお、係止片受け部（４２）は、孔形状を有しているが、これに限定されるものではなく、隆起部（４１）の一端部のみのように幅の狭い突起物であり、係止片（３３）と当接する面を有するものであってもよい。
【００３２】
なお、図３〜図６に示すように、係止片（３３）と係止受け部（４２）は、扉（２）の下方に設けられているが、これに限定されるものでなく、扉（２）の上方に設けられていてもよい。また、扉（２）は、引き戸として示されているが、１枚又は２枚の開き戸としてもよい。
【００３３】
次に本発明に係る台所用キャビネット（１）に関する実施形態の使用方法について説明する。
【００３４】
図３、図６に示すように、扉（２）が閉じている状態では、回動片（３２）に設けられた付勢手段（３４）が縮む力によって、回動片（３２）と連動する係止片（３３）が枠体（３０）から突出している。このとき、突出した係止片（３３）は、隆起部（４１）の係止片受け部（４２）に挿入され係止されているので、扉（２）を開放すること、すなわち、開けることができない。
【００３５】
一方、図４に示すように、使用者が扉（２）に設けられた扉開閉手段（３）の回動レバー（３１）を左側に押すと（図４に示す左矢印方向に力を加えると）、回動レバー（３１）の当接面（３１１）が、回動片（３２）の当接片（３２１）に当接し、回動片（３２）を回動させて、付勢手段（３４）を伸ばす。そして、回動片（３２）に連動する係止片（３３）を上方に移動させ（図４に示す上矢印方向に移動させ）、図５に示すように、係止片受け部（４２）との係合状態を解除し、扉（２）を開けることができる。
【００３６】
そして、係止片（３３）が隆起部（４１）を越えるところまで扉（２）を開けると、再び付勢手段（３４）が縮む力によって、回動片（３２）を回動させて、連動する係止片（３３）が枠体（３０）から突出する。このとき、突出した係止片（３３）は、枠部（４）と接触しないために、扉（２）の動きを妨げることはない。
【００３７】
以上にように、本発明に係る台所用キャビネット（１）によれば、地震などの揺れが伴う災害が発生したときであっても確実に収納物を外へ飛び出させることがなく、内部の収納空間に扉開閉手段を有しないために収納空間を無駄なく使用することができ、扉（２）を開ける方向に力を加えることで、係止片（３３）と係止片受け部（４２）の係止状態が解除されるので日常の使用時に特に扉開閉手段を意識せずに使用することができる。
【符号の説明】
【００３８】
１・・・台所用キャビネット
２・・・扉
２１・・表面
２２・・裏面
２３・・半透明部材
３・・・扉開閉手段
３０・・枠体
３１・・回動レバー
３１１・当接面
３１２・支点軸孔
３２・・回動片
３２１・当接片
３３・・係止片
３３１・係止片傾斜面
３４・・付勢手段
３５・・支点軸
３５１・支受軸
３６・・第一連結具
３７・・第二連結具
３８・・第三連結具
４・・・枠部
４１・・隆起部
４１１・隆起部傾斜面
４２・・係止片受け部
【図１】
0005999470.tif 000002
【図２】
0005999470.tif 000003
【図３】
0005999470.tif 000004
【図４】
0005999470.tif 000005
【図５】
0005999470.tif 000006
【図６】
0005999470.tif 000007